(57)【要約】【課題】本発明は、突部の倒れ込みを抑制し、クッション性及び体圧分散性に優れた、クッション体を提供することを目的とする。【解決手段】本発明に係るクッション体は、合成樹脂発泡体よりなり、クッション体の表面の少なくとも短手方向に溝を設け形成された複数の突部と、隣接する少なくとも一部の上記突部の間に、上記溝により形成された、上記突部よりも高さの低い支持部とを有するものとする。【選択図】       図３
2020043900.tif 000002
【特許請求の範囲】
【請求項１】
合成樹脂発泡体よりなり、
クッション体の表面の少なくとも短手方向に溝を設け形成された複数の突部と、
隣接する少なくとも一部の前記突部の間に、前記溝により形成された、前記突部よりも高さの低い支持部とを有する、クッション体。
【請求項２】
隣接する前記突部の間において、前記支持部の高さが、前記突部の基部から頂面までの高さの８０％以下であることを特徴とする、請求項１に記載のクッション体。
【請求項３】
隣接する前記突部の間において、前記支持部の高さが、前記突部の基部から頂面までの高さの１０％以上であることを特徴とする、請求項１又は２に記載のクッション体。
【請求項４】
前記突部の基部から頂面までの高さが、３０〜５０ｍｍであることを特徴とする、請求項１〜３のいずれか１項に記載のクッション体。
【請求項５】
前記支持部の半分の高さの位置において、
隣接する前記突部の間の溝幅Ｗａと、
前記突部間に設けられた前記支持部の幅Ｗｂとが、
下記式（１）を満たすことを特徴とする、請求項１〜４のいずれか１項に記載のクッション体。
０ｍｍ≦Ｗａ−Ｗｂ≦１０ｍｍ・・・（１）
【請求項６】
背もたれ部、腰部、脚部を有するリクライニングベッド用であることを特徴とする、請求項１〜５のいずれか１項に記載のクッション体。
【請求項７】
前記背もたれ部において、長手方向に隣接する少なくとも一部の前記突部の間に、前記支持部が設けられていることを特徴とする、請求項６に記載のクッション体。
【請求項８】
前記脚部において、長手方向に隣接する少なくとも一部の前記突部の間に、前記支持部が設けられていることを特徴とする、請求項６又は７に記載のクッション体。
【請求項９】
前記背もたれ部と腰部との接続部、及び／又は前記腰部と前記脚部との接続部に位置する前記突部の長手方向における幅が、１０〜１００ｍｍであることを特徴とする、請求項６〜８のいずれか１項に記載のクッション体。
【請求項１０】
前記接続部には、前記支持部を有しないことを特徴とする、請求項９に記載のクッション体。
【請求項１１】
前記背もたれ部と腰部との接続部の裏面に、溝が形成されていることを特徴とする、請求項６〜１０のいずれか１項に記載のクッション体。
【請求項１２】
前記脚部の裏面に、溝が形成されていることを特徴とする、請求項６〜１１のいずれか１項に記載のクッション体。
【発明の詳細な説明】
【技術分野】
【０００１】
本発明は、マットレスを構成するクッション体に関する。
【背景技術】
【０００２】
従来から、体圧分散性に優れたマットレスとして、合成樹脂発泡体からなるクッション体の表面に、複数の突部を有するマットレスが知られている（特許文献１）。
【０００３】
しかしながら、マットレスに荷重が掛かった際に、上記突部が倒れ込んでしまい、鉛直方向に沈み込むことができず、優れたクッション性及び体圧分散性が得られないことがあった。
【０００４】
また、利用者の上半身を起こすことができるリクライニング機能を有するベッドが知られている（特許文献２）。
【０００５】
上記のようなマットレスを、リクライニング機能を有するベッドに用いると、利用者の上半身を起こした際に、背もたれ部に設けられたマットレスの突部が重力方向に倒れ込み、クッション性が損なわれ、また、突部が倒れ込むと突部の角が利用者に接触し、使用感が悪化するという問題もあった。
【先行技術文献】
【特許文献】
【０００６】
【特許文献１】特開２００４−１６６９２５号公報
【特許文献２】特開２００６−０４３３５２号公報
【発明の概要】
【発明が解決しようとする課題】
【０００７】
そこで、本発明者は、上記の問題点に鑑み、突部の倒れ込みを抑制し、クッション性及び体圧分散性に優れたクッション体を提供することを課題とする。
【課題を解決するための手段】
【０００８】
本発明の一実施形態に係るクッション体は、合成樹脂発泡体よりなり、クッション体の表面の少なくとも短手方向に溝を設け形成された複数の突部と、隣接する少なくとも一部の上記突部の間に、上記溝により形成された、上記突部よりも高さの低い支持部とを有するものとする。
【０００９】
隣接する上記突部の間において、上記支持部の高さは、上記突部の基部から頂面までの高さの８０％以下であるものとすることができる。
【００１０】
隣接する上記突部の間において、上記支持部の高さは、上記突部の基部から頂面までの高さの１０％以上であるものとすることができる。
【００１１】
上記突部の基部から頂面までの高さは、３０〜５０ｍｍであるものとすることができる。
【００１２】
上記支持部の半分の高さの位置において、隣接する上記突部の間の溝幅Ｗａと、上記突部間に設けられた上記支持部の幅Ｗｂとが、下記式（１）を満たすものとすることができる。
０ｍｍ≦Ｗａ−Ｗｂ≦１０ｍｍ・・・（１）
本発明の一実施形態に係るクッション体は、背もたれ部、腰部、脚部を有するリクライニングベッド用とすることができる。
【００１３】
上記リクライニングベッド用のクッション体は、上記背もたれ部において、長手方向に隣接する少なくとも一部の上記突部の間に、上記支持部が設けられているものとすることができる。
【００１４】
上記リクライニングベッド用のクッション体は、上記脚部において、長手方向に隣接する少なくとも一部の上記突部の間に、上記支持部が設けられているものとすることができる。
【００１５】
上記リクライニングベッド用のクッション体において、上記背もたれ部と上記腰部との接続部、及び／又は、上記腰部と上記脚部との接続部に位置する上記突部の長手方向における幅は、１０〜１００ｍｍであるものとすることができる。
【００１６】
上記リクライニングベッド用のクッション体において、上記接続部には、上記支持部を有しないものとすることができる。
【００１７】
上記リクライニングベッド用のクッション体において、上記背もたれ部と上記腰部との接続部の裏面に溝が形成されていてもよく、上記脚部の裏面に溝が形成されていてもよい。
【発明の効果】
【００１８】
本発明に係るクッション体は、隣接する上記突部の少なくとも一部の間に、上記支持部を有することにより、クッション体に荷重が掛かった際に、上記突部が倒れ込むのを抑制することができるため、優れたクッション性及び体圧分散性を得ることができる。また、クッション体に荷重が掛かり、上記突部が沈み込んだ後、除荷された際に、上記突部が元の位置に戻ろうとするのを上記支持部が補助するため、クッション性及び体圧分散性が維持されやすい。さらに、上記支持部の高さが、隣接する上記突部の間において、上記突部よりも低いことにより、上記突部が除荷されて元の位置に戻る際、上記突部の角が上記支持部に引っかかりにくい。また、リクライニングベッドに用いた場合であって、背もたれ部や脚部を起こした際に、上記突部が重力方向に倒れ込むのを抑制することができるため、クッション性が損なわれず、使用感が悪化することもない。
【図面の簡単な説明】
【００１９】
【図１】本発明の一実施形態に係るクッション体の模式斜視図。
【図２】本発明の一実施形態に係るクッション体の模式側面図。
【図３】本発明の一実施形態に係るクッション体の長手方向側面図。
【図４】本発明の一実施形態に係るクッション体の短手方向側面図。
【図５】仰臥状態で寝転んだ時の理想的な姿勢を示す、利用者の模式側面図。
【図６】本発明の一実施形態に係るクッション体の突部と支持部との関係性を示す拡大断面図。
【図７】本発明の一実施形態に係るクッション体の変更例（ａ）〜（ｄ）を示す側面図。
【発明を実施するための形態】
【００２０】
次に本発明の一実施形態を添付の図面に基づいて詳細に説明する。
【００２１】
図１は、本実施形態に係るクッション体１の模式斜視図であり、図２は模式側面図であって、図１，２に示すように、クッション体１は、背もたれ部２、腰部３、脚部４を有するものであり、リクライニングベッド用にも使用できるものである。なお、図１，２において、いずれも実線はフラット時のクッション体１の形態を示すものであり、二点鎖線は、クッション体１の背もたれ部２を起こし、利用者のひざ裏が接地する領域を曲げた状態で脚部４を起こした時の形態を示すものである。
【００２２】
本実施形態に係るクッション体１は、合成樹脂発泡体からなり、図３，４に示すように、クッション体１の表面の少なくとも短手方向に溝を設け形成された複数の突部５と、隣接する少なくとも一部の突部５の間に、上記溝により形成された、突部５よりも高さの低い支持部６とを有するものである。
【００２３】
突部５の形状は、基部がくびれた形状をしている。基部がくびれていることにより、荷重が掛かった際に、突部５が沈み込みやすく、優れたクッション性が得られる。
【００２４】
また、突部５は、利用者の体圧分散性の観点から、設ける位置に応じて、形状や高さを適宜変更することができる。突部５の高さは、例えば、３０〜５０ｍｍとすることができる。ここで「突部の高さ」とは、突部５の基部から頂面までの高さを示すものであり、「突部の基部」とは、クッション体１の厚さ方向において、突部５間の溝底の位置を示す。突部５間に支持部６を有する場合には、突部５間に形成された溝は、支持部６の頂面に向かって形成された溝と、支持部６の頂面の位置において分岐し、支持部６に沿って形成された溝とからなるものであり、溝底とは、支持部６に沿って形成された溝の底を意味する。また、「支持部の高さ」とは、支持部６の基部から頂面までの高さを示すものであり、「支持部の基部」とは、クッション体１の厚さ方向において、突部５間の溝底の位置を示す。
【００２５】
ここで、仰臥状態で寝転んだ時の理想的な姿勢は、真っ直ぐに立った時と同じ姿勢であると言われており、具体的には、図５に示すように、耳８、肩９、腰１０、踝１１がそれぞれ略同一鉛直面１２上に位置するように真っ直ぐに立った姿勢とする。
【００２６】
仰臥状態で寝転んだ時に、理想的な姿勢となるように、背もたれ部２において利用者の頭部が接地する領域、腰部３、及び脚部４において利用者の踵が接地する領域には突部５ｂが形成され、背もたれ部２において利用者の背中が接地する領域及び脚部４において利用者の太ももやふくらはぎが接地する領域には、突部５ｂよりも沈み込み量の大きい突部５ｃが形成されている。クッション性の異なる領域を、このように配置することにより、利用者の体型に合わせて、クッション体１が沈み込むことができ、理想的な姿勢となりやすい。
【００２７】
上記クッション体１をリクライニングベッドに用いる場合、背もたれ部２と腰部３との接続部７ａ、及び腰部３と脚部４との接続部７ｂには、長手方向の幅の小さい突部５ａが形成されていることが好ましい。突部５ａの幅は、１０〜１００ｍｍであることが好ましく、２０〜８０ｍｍであることがより好ましい。長手方向の幅の小さい突部５ａが形成されていることにより、接続部７ａ又は接続部７ｂを曲げたときの応力を吸収し、背もたれ部２や脚部４を起こしやすく、リクライニングベッドの変形に追従しやすい。特に、クッション部材として、ポリウレタン樹脂などの軽量な部材を使用した場合に有用である。クッション部材として軽量な部材を使用する場合、リクライニングベッドの背もたれ部２や脚部４を起こした際に、クッション部材が自身の重量によりリクライニングベッドに沿って撓むことができず、クッション体１がリクライニングベッドの変形に追従することができないという問題があったからである。
【００２８】
図６に示すように、支持部６の高さ（ｔ）は、隣接する突部５の間において、突部５の基部から頂面までの高さ（Ｔ）の８０％以下であることが好ましく、７０％以下であることがより好ましく、６０％以下であることがさらに好ましい。また、突部５の基部から頂面までの高さ（Ｔ）の１０％以上であることが好ましく、２０％以上であることがより好ましく、２５％以上であることがさらに好ましい。支持部６の高さ（ｔ）が上記範囲内であることにより、荷重が掛かり倒れ込もうとする突部５を支持しやすく、優れたクッション性や耐圧分散性が得られやすい。また、突部５が沈み込んだ後、除荷された際に、突部５が元の位置に戻ろうとするのを支持部６が補助するため、クッション性及び体圧分散性が維持されやすい。また、突部５が除荷されて元の位置に戻る際、突部５の角が支持部６に引っかかりにくい。また、クッション体１をリクライニングベッド用に用いた場合、長手方向に隣接する突部５の間に、上記範囲の高さを有する支持部６を有することにより、クッション体１の背もたれ部２や脚部４を起こした際に、突部５が重力方向に倒れ込むのを抑制することができる。これにより、クッション性が損なわれず、使用感が悪化することもない。
【００２９】
支持部６の形状は、隣接する突部５の形状に合わせて、適宜変更することができ、特に限定されないが、図６に示すように、支持部６の高さ（ｔ）の半分の高さの位置（１／２ｔ）において、隣接する突部５の間の溝幅Ｗａと、突部５間に設けられた支持部６の幅Ｗｂとが、下記式（１）を満たすものであることが好ましい。
［式１］
０ｍｍ≦Ｗａ−Ｗｂ≦１０ｍｍ・・・（１）
すなわち、支持部６と、隣接する突部５との間の隙間が、所定範囲内である場合、荷重が掛かり倒れ込もうとする突部５を支持部６が支持しやすく、突部５が沈み込んだ後、除荷された際に、突部５が元の位置に戻ろうとするのを支持部６が補助するため、クッション性及び体圧分散性が維持されやすい。また、突部５が除荷されて元の位置に戻る際、突部５の角が支持部６に引っかかりにくい。
【００３０】
支持部６の高さ（ｔ）の半分の高さの位置（１／２ｔ）における、隣接する突部５の間の溝幅Ｗａは、特に限定されないが、３０〜８０ｍｍであることが好ましい。
【００３１】
支持部６の高さ（ｔ）の半分の高さの位置（１／２ｔ）における、支持部６の幅Ｗｂは、特に限定されないが、２０〜６０ｍｍであることが好ましい。
【００３２】
また、図４に示すように、寝返りをしやすくし、横臥時の体圧分散性を向上させる観点から、幅方向中央から左右両側１００ｍｍ以上外側に位置する領域Ｂにおいて、幅方向中央から左右両側１００ｍｍより内側に位置する領域Ａに形成された溝よりも深い溝がそれぞれ１本以上形成されたものであってもよい。幅方向中央に仰向けに寝転んだ場合には、身体はほとんど領域Ｂに接地しないため、領域Ｂにおいてより深い溝が形成されたことで仰向け時の寝心地に影響を与えることはない。また、より深い溝が形成された領域Ｂは、身体の輪郭に沿って沈み込むことができるため寝返りがし易くなり、横臥時の体圧分散性にも優れる。
【００３３】
上記クッション部材の材料としては、発泡樹脂であれば特に限定されないが、例えば、ポリウレタン樹脂、ポリエチレン樹脂などが挙げられるが、加工性の観点からポリウレタン樹脂であることが好ましい。
【００３４】
クッション部材の厚さは、特に限定されず、突部５の高さ（形成する溝の深さ）に応じて適宜選択することができるが、例えば４０〜２００ｍｍであることが好ましく、６０〜１６０ｍｍであることがより好ましく、８０〜１１０ｍｍであることがさらに好ましい。４０ｍｍ以上であることにより、クッション性と耐久性に優れ、２００ｍｍ以下であることにより、重くなりすぎず扱いやすい。
【００３５】
また、上記クッション体１をリクライニングベッドに用いる場合、背もたれ部２と腰部３との接続部７ａの裏面に、短手方向に伸びる溝１３を有するのが好ましい。溝１３の長手方向断面形状は、図３に示すように、開口部よりも、溝底の溝幅が広い形状であることが好ましい。このような溝１３を有することにより、クッション体１のクッション性や耐圧分散性に影響を与えることなく、背もたれ部２を起こしやすく、リクライニングベッドの変形に追従しやすい。
【００３６】
また、上記クッション体１をリクライニングベッドに用いる場合、脚部４の裏面に、短手方向に伸びる溝１４を有するのが好ましい。溝１４の長手方向断面形状は、図３に示すように、溝底よりも、開口部の溝幅が広い形状であることが好ましい。このような溝１４を有することにより、クッション体１のクッション性や耐圧分散性に影響を与えることなく、ひざ裏が接地する領域を曲げた状態で脚部４を起こしやすく、リクライニングベッドの変形に追従しやすい。上述のように、特に、クッション部材として、ポリウレタン樹脂などの軽量の部材を用いた場合に有用である。
【００３７】
クッション部材の幅方向及び長手方向の長さは、シングルサイズ、セミダブルサイズなどのサイズに合わせることができる。
【００３８】
本発明のクッション体１は、従来から用いられていた１枚のクッション部材に溝を形成するだけで製造することが可能であり、体圧分散性の観点から、利用者の身体の形状に合わせてクッション性の異なる複数のクッション部材を組み合わせて製造していた従来のクッション体に比べて、生産性が高く、製造コストを安く抑えることができる。
【変更例】
【００３９】
上記実施形態においては、突部５の基部がくびれた形状をしているものについて説明したが、これに限定されず、基部がくびれていないものであってもよい。
【００４０】
上記支持部６の断面形状は、半円形状であってもよく、三角形や四角形などの多角形状であってよく、多角形状である場合には、各辺が湾曲していてもよく、各角が丸みを帯びたものであってもよい。
【００４１】
上記実施形態においては、背もたれ部２、腰部３、脚部４のいずれの個所においても、支持部６が設けられたものについて説明したが、これに限定されず、少なくとも一部の領域において、隣接する突部５の間に、支持部６が設けられていればよい。
【００４２】
上記クッション体１の幅方向左右両側端部から１００〜１５０ｍｍの領域の硬さは、１６０〜２３０Ｎであることが好ましく、１８０〜２００Ｎであることがより好ましい。上記領域の硬さが、上記範囲内であることにより、利用者がマットレスに乗り降りする際に、腰かけやすい。ここで、クッション部材の硬さとは、ＪＩＳ  Ｋ６４００−２に準拠し測定した値とする。
【００４３】
上記クッション体１は、単層からなるものであってもよく、硬さや材料の異なる部材を２種以上積層した構造からなるものであってもよい。
【００４４】
クッション部材の硬さは、特に限定されないが、クッション体１が単層からなる場合、耐久性の観点から、１２０〜２４０Ｎであることが好ましく、１３５〜２３０Ｎであることがより好ましい。
【００４５】
上記クッション部材が複数の層からなる場合、表層が合成樹脂発泡体からなればよく、下層のクッション部材は、合成樹脂発泡体に限定されず、天然繊維や合成繊維などを圧縮成型してなる、天然繊維や合成繊維の集合体からなるクッション部材であってもよい。
【００４６】
また、上記クッション部材が複数の層からなるものをリクライニングベッドに用いる場合、表層を構成するクッション部材の硬さは、７０〜１４０Ｎであることが好ましく、９０〜１２０Ｎであることがより好ましい。また、表層を構成するクッション部材は、伸びが１５０％以上であることが好ましく、２５０％以上であることがより好ましい。ここで、伸びとは、ＪＩＳ  Ｋ６４００−５に準拠して測定した値とする。表層を構成するクッション部材の硬さや伸びが上記範囲内であることにより、接続部７ａ又は接続部７ｂを曲げたときの応力を吸収することができ、背もたれ部２や脚部４を起こしやすく、リクライニングベッドの変形に追従しやすい。
【００４７】
また、下層を構成するいずれかのクッション部材の硬さは、１００〜１６０Ｎであることが好ましく、１１０〜１５０Ｎであることがより好ましい。また、下層を構成するいずれかのクッション部材の反発弾性が３５〜５０％であることが好ましく、４０〜５０％であることがより好ましい。ここで「反発弾性」とは、ＪＩＳ  Ｋ６４００−３に準拠して測定した値とする。上記範囲内の硬さ又は反発弾性を有するクッション部材を有することにより、リクライニングベッドを、背もたれ部２や脚部４を起こした状態からフラット状態に変形した際に、クッション体１もその変形に追従しフラット状態に戻りやすい。
【００４８】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。具体的には、図７に示すような変更例（ａ）〜（ｄ）も本発明の範囲に含まれるものである。
【符号の説明】
【００４９】
１・・・・・クッション体
２・・・・・背もたれ部
３・・・・・腰部
４・・・・・脚部
５・・・・・突部
６・・・・・支持部
７ａ・・・・接続部
７ｂ・・・・接続部
８・・・・・耳
９・・・・・肩
１０・・・・腰
１１・・・・踝
１２・・・・耳、肩、腰、踝がそれぞれ略同一平面上に位置する鉛直面
１３・・・・溝
１４・・・・溝
【図１】
2020043900.tif 000003
【図２】
2020043900.tif 000004
【図３】
2020043900.tif 000005
【図４】
2020043900.tif 000006
【図５】
2020043900.tif 000007
【図６】
2020043900.tif 000008
【図７】
2020043900.tif 000009